(57)【要約】【課題】外部のディスク再生機２１がネット機能を備えていなくても、再生するディスクに収録してある楽曲に関するメタデータを通信ネットワーク上の外部のデータベース又は内部のデータベースから取得して、各楽曲の再生に用いる音楽再生装置を提供する。【解決手段】ディスク再生機２１から楽曲デジタル信号が供給されると、ディスクに収録してある楽曲のうちの１曲目の開始時刻を取得した後に、２曲目にスキップして２曲目の開始時刻を取得し、次に３曲目にスキップして３曲目の開始時刻を取得して、２曲目の開始時刻から１曲目の開始時刻を減算して１曲目の再生時間を得、３曲目の開始時刻から２曲目の開始時刻を減算して２曲目の再生時間を得、１曲目と２曲目の各再生時間の曲順に基づいて、インターネット網１に接続する外部又は内部のデータベース５にアクセスして、供給元のディスクを特定して、ここから楽曲付帯データを取得する手段を備えている。【選択図】図１
2010015657.tif 000002
【特許請求の範囲】
【請求項１】
外部のディスク再生装置から楽曲デジタル信号が供給されると、前記楽曲デジタル信号の供給元であるディスクに収録してある楽曲のうちの１曲目の開始時刻情報を取得する第１の開始時刻情報取得手段と、
１曲目から２曲目にスキップさせて前記２曲目の開始時刻情報を取得する第２の開始時刻情報取得手段と、
前記２曲目から３曲目にスキップさせて前記３曲目の開始時刻情報を取得する第３の開始時刻情報取得手段と、
前記２曲目の開始時刻情報から前記１曲目の開始時刻情報を減算して前記１曲目の再生時間情報を得、前記３曲目の開始時刻情報から前記２曲目の開始時刻情報を減算して前記２曲目の再生時間情報を得、少なくとも前記１曲目の再生時間情報と前記２曲目の再生時間情報とに基づいて、通信ネットワークに接続された外部のデータベース又は内部のデータベースにアクセスして、前記供給元であるディスクを特定する特定手段と、
特定したディスクに収録してある前記楽曲に関する楽曲付帯データを取得する楽曲付帯データ取得手段とを
備えることを特徴とする音楽再生装置。
【請求項２】
前記３曲目から４曲目にスキップさせて前記４曲目の開始時刻情報を取得する第４の開始時刻情報取得手段を更に備え、
前記特定手段は、前記４曲目の開始時刻情報から前記３曲目の開始時刻情報を減算して前記３曲目の再生時間情報を得、前記１曲目の再生時間情報と前記２曲目の再生時間情報と前記３曲目の再生時間情報とに基づいて、前記外部のデータベース又は内部のデータベースにアクセスして、前記供給元であるディスクを特定することを特徴とする請求項１に記載の音楽再生装置。
【請求項３】
各楽曲のタイプと各系統のスピーカシステムとがマトリクス状に対応付けられて成る組み合わせパターンの中から、前記楽曲付帯データに関する楽曲のタイプと、前記楽曲のタイプに対応した系統のスピーカシステムとの組み合わせパターンを抽出し、抽出した系統のスピーカシステムに前記楽曲に応じた音声信号を供給して、楽曲を再生する再生手段を備えることを特徴とする請求項１又は請求項２に記載の音楽再生装置。
【発明の詳細な説明】
【技術分野】
【０００１】
本発明は音楽再生装置に係り、外付けのディスクプレーヤから供給される楽曲デジタル信号の曲順や各曲の時間をキーとして、再生中のディスクを特定し、内外のデータベースに蓄積されている、音楽ジャンル、アーティスト名、曲名、曲順（曲目）、曲長さ（時間）、アルバム長さ（時間）などのディスクの収録曲に関する楽曲付帯データ（以下、メタデータと記す）を取得し、また、取得したメタデータに基づいて、ユーザの好みに応じた音で、スピーカシステムの組み合わせを自動的に切換える音楽再生装置に関するものである。
【背景技術】
【０００２】
近年、新しい材料として木の振動板を用いたスピーカユニットをスピーカボックスに組み込んだスピーカシステム（以下「スピーカ」と記す）や、指向性を大きく拡げて聴取位置によらずに常に均質な再生音を聴取できる無指向性スピーカが商品化されている。
【０００３】
これらスピーカの登場によって、好みの楽曲を好みの音で聴取できるようになった。
【０００４】
しかし、スピーカと相性が良い楽曲のタイプを再生すると最適な再生音を得ることができるが、異なる楽曲のタイプを再生すると最適な再生音を得ることができない。このように、どのような楽曲のタイプを再生しても最適な再生音を自動的に得ることができる万能なスピーカはほとんど無いのが現状である。
【０００５】
また、音楽コンパクトディスク（以下「ＣＤ」と記す）を再生する際には、音楽ＣＤの演奏者や制作年度などの情報が格納された音楽データベースであるＣＤＤＢ（Ｃｏｍｐａｃｔ Ｄｉｓｃ  Ｄａｔａ  Ｂａｓｅ）などのインターネット網上の外部音楽データベースにアクセスし、蓄積されているメタデータとＣＤのリードイントラックのサブコード中のＴＯＣ（Ｔａｂｌｅ  ｏｆ  Ｃｏｎｔｅｎｔｓ）データとを照合してＣＤを特定し、そのＣＤの曲名、アルバム名、アーティスト名、ジャンルなどのメタデータを取得でき、それを活用して楽曲の検索などが便利に行えるようになってきた。
【０００６】
ここで、メタデータとは、コンピュータを用いて大量のデータ群から目的に合致したデータを取り出すための情報検索システムの検索の対象となるデータを要約したデータである。
【０００７】
前記した如くのメタデータから、楽曲のジャンルを何らかの方法で取得し、そのジャンルに応じて、予めジャンル毎に設定された最適な音質・音場設定に切換えて再生するという技術は、周知である。
【０００８】
即ち、特許文献１は楽曲毎に、また、特許文献２ではメディア毎に、音質設定値を記憶して、再生時にその設定値により最適な音質・音場設定に切換えて再生するという技術が述べられている。
【０００９】
また、ＣＤのリードイントラックのサブコード中のＴＯＣデータ以外でもオーディオトラックのサブコード中のＱチャンネルデータを抽出・解析することにより、ＣＤからＳ／ＰＤＩＦ（Ｓｏｎｙ  Ｐｈｉｌｉｐｓ  Ｄｉｇｉｔａｌ  Ｉｎｔｅｒｆａｃｅ）経由で音楽をデジタルダビングする先の録音機などでの各楽曲の頭位置を検出するという技術は、周知である。
【特許文献１】特開２００２−２８７７７４号公報
【特許文献２】特開２００５−３５３２３７号公報
【発明の開示】
【発明が解決しようとする課題】
【００１０】
しかし、前記した背景技術では、着目点が音質・音場補正を最適にしてユーザが好む音質で再生しようという範囲にとどまっており、音質・音場補正以前の、ユーザが再生する楽曲に応じてスピーカシステムを使い分けるという、楽曲とスピーカシステムとの相性という点に着目した改善がなされていなかった。
【００１１】
また、背景技術では、一系統のスピーカシステムを前提とした聴取改善に過ぎず、楽曲とスピーカシステムとの相性により、ある楽曲では大きな満足が得られても、別のある楽曲のタイプは不満足な音楽聴取となってしまい、ユーザを十分に満足させるための聴取環境を形成することはできなかった。
【００１２】
そこで本発明は、このような問題に着目しこれを有効に解決すべく創案されたものであり、ＣＤプレーヤなどの外付けディスク再生装置がインターネットに接続できる通信機能（ネット機能）を備えていなくても、このディスク再生装置から楽曲デジタル信号が供給されると、楽曲デジタル信号の供給元であるディスクに収録してある楽曲の１曲目の先頭（開始時刻情報）を基準として、１曲目の再生時間情報と２曲目の再生時間情報とを割り出し、この曲順に基づいて、通信ネットワークに接続する外部のデータベース又は内部のデータベースにアクセスして、供給元であるディスクを特定し、特定したディスクに収録してある楽曲付帯データを取得して、各楽曲のタイプに対応した系統のスピーカシステムを用いて、楽曲を再生する音楽再生装置を提供することを目的とする。
【課題を解決するための手段】
【００１３】
そこで本発明は、上記した課題を解決するために、下記する（１）〜（３）の構成の音楽再生装置を提供する。
【００１４】
（１）  外部のディスク再生装置２１から楽曲デジタル信号が供給されると、前記楽曲デジタル信号の供給元であるディスクに収録してある楽曲のうちの１曲目の開始時刻情報（オーディオトラックのサブコードのデータＱのデータフォーマット（図３）の、トラック（曲）番号ＴＮＯ、ディスク上の走行時間ＡＭＩＮ，ＡＳＥＣに関連）を取得する第１の開始時刻情報取得手段（Ｓ４，Ｓ５）と、
１曲目から２曲目にスキップさせて前記２曲目の開始時刻情報を取得する第２の開始時刻情報取得手段（Ｓ７，Ｓ８）と、
前記２曲目から３曲目にスキップさせて前記３曲目の開始時刻情報を取得する第３の開始時刻情報取得手段（Ｓ９，Ｓ１０）と、
前記２曲目の開始時刻情報から前記１曲目の開始時刻情報を減算して前記１曲目の再生時間情報を得、前記３曲目の開始時刻情報から前記２曲目の開始時刻情報を減算して前記２曲目の再生時間情報を得、少なくとも前記１曲目の再生時間情報と前記２曲目の再生時間情報とに基づいて、通信ネットワーク（インターネット網）１に接続された外部のデータベース又は内部のデータベース５にアクセスして、前記供給元であるディスクを特定する特定手段（Ｓ１１〜Ｓ１５，Ｓ１９）と、
特定したディスクに収録してある前記楽曲に関する楽曲付帯データを取得する楽曲付帯データ取得手段（Ｓ２５）を備えたことを特徴とする音楽再生装置ＡＡ。
【００１５】
（２）  前記３曲目から４曲目にスキップさせて前記４曲目の開始時刻情報を取得する第４の開始時刻情報取得手段（Ｓ１７，Ｓ１８）を更に備え、
前記特定手段（Ｓ１１〜Ｓ１５，Ｓ１９）は、前記４曲目の開始時刻情報から前記３曲目の開始時刻情報を減算して前記３曲目の再生時間情報を得、前記１曲目の再生時間情報と前記２曲目の再生時間情報と前記３曲目の再生時間情報とに基づいて、前記外部のデータベース又は内部のデータベースにアクセスして、前記供給元であるディスクを特定することを特徴とする上記（１）に記載の音楽再生装置ＡＡ。
【００１６】
（３）  各楽曲のタイプと各系統のスピーカシステムとがマトリクス状に対応付けられて成る組み合わせパターンの中から、前記楽曲付帯データに関する楽曲のタイプと、前記楽曲のタイプに対応した系統のスピーカシステムとの組み合わせパターンを抽出し、抽出した系統のスピーカシステムに前記楽曲に応じた音声信号を供給して、楽曲を再生する再生手段（ＣＰＵ４，スピーカ切換え部１３）を備えることを特徴とする上記（１）又は上記（２）に記載の音楽再生装置。
【発明の効果】
【００１７】
本発明は、ＣＤプレーヤなどの外付けディスク再生装置がインターネットに接続できる通信機能を備えていなくても、このディスク再生装置から楽曲デジタル信号が供給されると、楽曲デジタル信号の供給元であるディスクに収録してある楽曲の１曲目の先頭（開始時刻情報）を基準として、１曲目の再生時間情報と２曲目の再生時間情報とを割り出し、この曲順に基づいて、通信ネットワークに接続する外部のデータベース又は内部のデータベースにアクセスして、供給元であるディスクを特定し、特定したディスクに収録してある楽曲付帯データを取得して、各楽曲のタイプに対応した系統のスピーカシステムを用いて、楽曲を再生可能な音楽再生装置を提供することができる。
【発明を実施するための最良の形態】
【００１８】
本発明は、外部のディスク再生装置と接続した場合に、この外部のディスク再生装置から供給される楽曲デジタル信号には、リードイントラックのサブコードのデータＱのデータフォーマット（図４）に準拠したデータが含まれることなく、オーディオトラックのサブコードのデータＱのデータフォーマット（図３）に準拠したデータのみが存在することに着眼して成されたものであり、この楽曲デジタル信号の供給元であるディスクに収録してある楽曲の曲数情報や各曲再生時間情報等が含まれているリードイントラックのサブコードのデータＱのデータフォーマットに準拠したデータを用いることができなくても、オーディオトラックのサブコードのデータＱのデータフォーマットに準拠したデータのみから取得した１曲目、２曲目の各開始時刻情報をキーとして、各曲の再生時間を割り出し、この曲順に基づいて、供給元のディスクを特定し、特定したディスクに収録してある楽曲に関する楽曲付帯データを取得して、これを各楽曲の再生の際に活用するための構成を備えた音楽再生装置である。
【００１９】
以下、本発明の好ましい実施の形態について、図１〜図６を参照しながら詳細に説明する。図１は本発明の実施の形態にかかる音楽再生装置のブロック構成図、図２は音楽再生装置の再生動作フローチャート、図３はオーディオトラックのサブコードのデータＱのデータフォーマットを示す図、図４はリードイントラックのサブコードのデータＱのデータフォーマットを示す図、図５は楽曲に関するメタデータの内容を示す図、図６は再生システムの切換パターンを示す図である。
【００２０】
本発明の実施の形態に係る音楽再生装置ＡＡは、図１に示すように、大略、ＣＤプレーヤなどの外部のディスク再生機２１が通信機能を備えていなくても、この外部のディスク再生機２１から楽曲デジタル信号が供給されると、この楽曲デジタル信号の供給元であるディスクに収録してある楽曲のうちの、１曲目の先頭にある開始時刻情報を取得した後に、１曲目から２曲目にスキップして２曲目の開始時刻情報を取得し、次に、２曲目から３曲目にスキップして３曲目の開始時刻情報を取得して、２曲目の開始時刻情報から１曲目の開始時刻情報を減算して１曲目の再生時間情報を得、３曲目の開始時刻情報から２曲目の開始時刻情報を減算して２曲目の再生時間情報を得、１曲目の再生時間情報と２曲目の再生時間情報との曲順に基づいて、通信ネットワークに接続する外部のデータベース又は内部のデータベースにアクセスして、楽曲デジタル信号の供給元であるディスクを特定し、特定したディスクに収録してある楽曲に関するメタデータを取得する手段３，４，６を備えている。
【００２１】
また、上記したことに関連して、通信ネットワークに接続する外部のデータベース又は内部のデータベースにアクセスして、楽曲デジタル信号の供給元であるディスクを特定できない場合には、更に３曲目から４曲目にスキップして、４曲目の開始時刻情報を取得し、４曲目の開始時刻情報から３曲目の開始時刻情報を減算して３曲目の再生時間情報を得、１曲目の再生時間情報と２曲目の再生時間情報と３曲目の再生時間情報との曲順に基づいて、通信ネットワークに接続する外部のデータベース又は内部のデータベースにアクセスして、楽曲デジタル信号の供給元であるディスクを特定し、特定したディスクに収録してある楽曲に関するメタデータを取得する手段を備えている。
【００２２】
さらに、前記手段から読み出したメタデータに基づいて、ユーザが好みの曲を好みの音で再生できるように楽曲のタイプ毎に対応付けられた複数系統のスピーカシステムの中から当該楽曲のタイプに対応した一系統のスピーカシステムに自動的に切換えて、楽曲を最適な音で再生できる再生手段４，１３を備えている。
【００２３】
前記した１曲目〜３曲目の各再生時間情報は、それぞれ、１曲目〜４曲目の各開始時刻情報に基づいてそれぞれ割り出されたものであるから、各曲間に存在するギャップ時間（空白時間）を含んでいる。しかし、各再生時間情報がこの空白時間を含んでいても、実用上差し支えないことは、実験で確かめられている。
【００２４】
図１中、１はインターネット網、２は音楽再生装置ＡＡの主要部である音楽再生部、３はイーサネット（登録商標）対応のインターフェース部（Ｅｔｈｅｒｎｅｔ（登録商標）  Ｉｎｔｅｒｆａｃｅ）、４はＣＰＵ、5はデータベース（Ｄａｔａ  Ｂａｓｅ）、６はＣＤのサブコードを抽出するサブコード抽出部、７はリモートコントロール（以下「リモコン」と記す）発信部、８はリモートコントローラ、９は音楽データ遅延回路、１０はアンプ、１１はデジタルシグナルプロセッサ（ＤＳＰ）、１２，２３はＤ／Ａコンバータ（Ｄ／Ａ）、１３はスピーカ切換え部、１４，２４はリモコン受信部、１５はリモコン、２１はＣＤ／ＤＶＤを再生する外部のディスク再生機、２２はディスクドライブ（Ｄｒｉｖｅ）、３１〜３４はスピーカシステム＃１〜＃４である。
【００２５】
前記した４つのスピーカシステム＃１〜＃４は、次の通りである。即ち、
スピーカシステム３１（＃１）は、球形スピーカシステム、
スピーカシステム３２（＃２）は、木製振動板を供えたウッドコーン（登録商標）・スピーカシステム、
スピーカシステム３３（＃３）は、オブリコーン（登録商標）・スピーカシステム、
スピーカシステム３４（＃４）は、サブウーハ、である。
【００２６】
因みに、スピーカシステム＃４は単独で用いられることはなく、スピーカシステム＃１，＃３と併用される。
【００２７】
前記した音楽再生部２には、ユーザが設定した楽曲のタイプを４つとしたときに、楽曲の各タイプに応じてそれぞれ、４系統のスピーカシステムＳＰＳ「１」〜ＳＰＳ「４」が接続される。前記したインターフェース部３はインターネット網１にＥｔｈｅｒｎｅｔ（登録商標）により接続されている。
【００２８】
前記した音楽再生部２では外部のディスク再生機２１で再生するＣＤを特定して、登録済みのＣＤであるかどうかをデータベース５に記録してあるメタデータと照合し、確認する。登録済みのＣＤであればそのメタデータに基づき、音楽ジャンルやアーティスト名、アルバム名、曲名、曲順（曲目）、アルバム内曲数、曲長さ（時間）、アルバム長さ（時間）などがそれぞれ設定されており、下記の図６に示すように、ユーザが設定した楽曲の各タイプに応じてそれぞれ最適なスピーカシステムに自動的に切換えて満足度の高い音楽聴取を実現する。
【００２９】
図６は、各楽曲のタイプと各系統のスピーカシステムとがマトリクス状に対応付けられて成る組み合わせパターンを示しており、ユーザが設定した楽曲のタイプを４つとしたときに、楽曲の各タイプに応じてそれぞれ、４系統のスピーカシステムＳＰＳ「１」〜ＳＰＳ「４」の中から一系統のスピーカシステムを自動選択して、当該楽曲を最適に再生するための、４つの切換えパターンを示している。
【００３０】
この４つの切換えパターンは、図６に示すように、同図中左端第１列目の項目「主な用途（目安）」にそれぞれ対応しており、詳しくは、「Ｊａｚｚライブ録音等」「Ｊａｚｚスタジオ録音等」「クラシック等」「Ｐｏｐｓ，Ｒｏｃｋ等（ステレオ）」の各切換えパターンである。
【００３１】
また、図６中２、４列目には、「Ｓｙｓｔｅｍ」、「ＳＰＳ（スピーカシステム）」の各項目がそれぞれ配列されている。「Ｓｙｓｔｅｍ」は４種類の再生システムＡ〜Ｄが配列され、また「ＳＰＳ（スピーカシステム）」は４系統のスピーカシステムＳＰＳ「３」「２」「１」「４」が順次配列されている。
【００３２】
こうして、「主な用途（目安）」の「Ｊａｚｚライブ録音等」「Ｊａｚｚスタジオ録音等」「クラシック等」「Ｐｏｐｓ，Ｒｏｃｋ等（ステレオ）」の４つの楽曲のタイプは、それぞれ、４つの再生システムＡ，Ｂ，Ｃ，Ｄと、４系統のスピーカシステムＳＰＳ「３」「２」「１」「４」とに対応する。
【００３３】
この結果、
第１の系統のスピーカシステムＳＰＳ「１」は、スピーカシステム３２（＃２）に対応し、
第２の系統のスピーカシステムＳＰＳ「２」は、スピーカシステム３２（＃２）＋３４（＃４）に対応し、
第３の系統のスピーカシステムＳＰＳ「３」は、スピーカシステム３１（＃１）＋３４（＃４）に対応し、
第４の系統のスピーカシステムＳＰＳ「４」は、スピーカシステム３３（＃３）に対応する。
【００３４】
こうして、音楽再生装置ＡＡは、下記（ａ）〜（ｄ）のように、ユーザが設定した楽曲のタイプを４つとしたときに、楽曲の各タイプに応じてそれぞれ、第１の系統〜第４の系統の４つの系統のスピーカシステムＳＰＳ「１」〜ＳＰＳ「４」の中から一系統のスピーカシステムが自動選択される。
【００３５】
（ａ）楽曲のタイプが「Ｊａｚｚライブ録音等」のとき
再生システムＡ、第３の系統のスピーカシステムＳＰＳ「３」として分類され、スピーカシステム＃１（球形スピーカシステム）＋スピーカシステム＃４（サブウーハ）に自動的に切換えられる。
【００３６】
（ｂ）楽曲のタイプが「Ｊａｚｚスタジオ録音等」のとき
再生システムＢ、第２の系統のスピーカシステムＳＰＳ「２」として分類され、スピーカシステム＃２（ウッドコーン・スピーカシステム）＋スピーカシステム＃４（サブウーハ）に自動的に切換えられる。
【００３７】
（ｃ）楽曲のタイプが「クラシック等」のとき
再生システムＣ、第１の系統のスピーカシステム１として分類され、スピーカシステム＃２（ウッドコーン・スピーカシステム）に自動的に切換えられる。
【００３８】
（ｄ）楽曲のタイプが「Ｐｏｐｓ，Ｒｏｃｋ等（ステレオ）」のとき
再生システムＤ、第４の系統のスピーカシステム４として分類され、スピーカシステム＃３（オブリコーン・スピーカシステム）に自動的に切換えられる。
【００３９】
このように、音楽再生装置ＡＡは、データベース５から読み出したメタデータに基づいて、ユーザが好みの曲を好みの音で再生できるように楽曲のタイプ毎に対応付けられた複数系統のスピーカシステムの中から当該楽曲のタイプに対応した一系統のスピーカシステムを自動的に切換えて、楽曲を最適な音で再生することができる。
【００４０】
さて、前記した外部のディスク再生機２１にＣＤを装填して再生すると、ディスクドライブ２２はＣＤから読み出した、オーディオトラックのサブコードのデータ（図３）と楽曲に関する音声デジタル信号とを備えた楽曲デジタル信号は、Ｓ／ＰＤＩＦ経由で音楽再生部２のサブコード抽出部６と音楽データ遅延回路９とにそれぞれ供給される。一方、ディスクドライブ２２から読み出した楽曲デジタル信号は、Ｄ／Ａコンバータ２３にも供給され、ここでＤ／Ａ変換された楽曲アナログ信号として、音楽再生部２のスピーカ切換え部１３に出力される。
【００４１】
ここで、音楽再生部２のＤ／Ａコンバータ１２からのアナログ信号と外部のディスク再生機２１のＤ／Ａコンバータ２３からのアナログ信号とが、音楽再生部２のスピーカ切換え部１３にそれぞれ入力する理由は、次の通りである。
【００４２】
即ち音楽再生部２のＤ／Ａコンバータ１２よりも外部のディスク再生機２１のＤ／Ａコンバータ２３の方がＤ／Ａ変換特性などの性能が良い場合は、このＤ／Ａコンバータ２３からスピーカ切換え部１３へ直接供給している楽曲アナログ信号だけを用いて、楽曲の再生音質の向上を図る。この場合、Ｓ／ＰＤＩＦを経由して外部のディスク再生機２１から供給される楽曲デジタル信号は、サブコード抽出部６におけるデータ処理にだけ用いられることになる。
【００４３】
一方、外部のディスク再生機２１のＤ／Ａコンバータ２３よりも音楽再生部２のＤ／Ａコンバータ１２の方がＤ／Ａ変換特性などの性能が良い場合には、Ｄ／Ａコンバータ２３から出力する楽曲アナログ信号をスピーカ切換え部１３へ供給することなく、Ｄ／Ａコンバータ１２から出力する楽曲アナログ信号だけをスピーカ切換え部１３へ供給する。こうして、Ｓ／ＰＤＩＦを経由して外部のディスク再生機２１から出力する楽曲デジタル信号だけを用いて、楽曲の再生音質の向上とサブコード抽出部６におけるデータ処理とが行なう。
【００４４】
ところで、前者の場合は、Ｓ／ＰＤＩＦを経由してサブコード抽出部６に供給される楽曲デジタル信号とのタイムラグが生じてしまう恐れがある。このために、通常再生時にリモコン発信部７を利用してそのタイムラグ分だけ、外部のディスク再生機２１に対して「一時停止」のコマンドを送信して、Ｄ／Ａコンバータ２３の出力を一時停止し、この後、当該タイムラグ時間が経過した後に、外部のディスク再生機２１に対して「再生」コマンドを再度送信して、Ｄ／Ａコンバータ２３の出力の一時停止状態を解除する。これによって、外部のディスク再生機２１のＤ／Ａコンバータ２３からスピーカ切換え部１３へ直接供給している楽曲アナログ信号だけを用いて楽曲の再生音質の向上を図る場合にも、タイミングずれなどの前記したタイムラグによる悪影響を回避することができる。
【００４５】
因みに、後者の場合には、こうしたタイムラグは音楽データ遅延回路９によって除去される。また、前者及び後者ともに、次の曲が同じ再生システムであれば切り換え不要であり、タイミング合わせも不要なので、こうしたタイムラグ対応は不要である。
【００４６】
ディスクドライブ２２から音楽再生部２に供給された楽曲デジタル信号のうち、楽曲に関する音声デジタル信号は音楽データ遅延回路９に出力され、ここで音声デジタル信号は、音楽再生部２がＣＤのトラック番号の変化を検知してから変化後のトラック（曲）に対して登録された系統のスピーカシステムへ切換えるのに要する時間分だけ遅延されてＤＳＰ１１に出力される。
【００４７】
これによって、ＤＳＰ１１は音場設定（「小ホール」「スタジオ」「大ホール」図６）の切換えや、Ｄ／Ａコンバータ１２で音声デジタル信号をＤ／Ａ変換したアナログの音声信号を、スピーカ切換え部１３に供給する。
【００４８】
この結果、４系統のスピーカシステムＳＰＳ「１」〜ＳＰＳ「４」を選択して楽曲を再生するスピーカ切換え部１３の切換えのタイミングを、前記したトラック（曲）の切れ目と同じタイミングに合せることができる。
【００４９】
各楽曲に関するメタデータは、図５に示すように、各項目毎に分類されている。項目「楽曲ＩＤ」は、装置内部で各楽曲を管理するためのローカルの管理番号であり、項目「ジャンル名」、「アーティスト名」、「アルバム名」、「曲名」、「曲順（何曲目）」、「アルバム内曲数」、「曲長さ（時間）」、「アルバム長さ（時間）」、…はそれぞれ、装置内部に予めプリインストールしたローカルデータベース５や、インターネット網１上のＣＤＤＢなどの楽曲データベースから、ＣＰＵ４が取得するデータである。
【００５０】
図５中、項目「再生システム」、「メディア種類」、「音声トラックｃｈ数」はそれぞれ、メタデータとしてデータベース５に記録しておいて、ＣＤや各楽曲毎の再生システム(スピーカシステム)の切換えの際に読み出して利用する。
【００５１】
ＣＰＵ４は、データベース５に記憶されている当該楽曲に関するメタデータを参照し、上記（ａ）〜（ｄ）のように、ユーザが設定した楽曲のタイプを４つとしたときに、楽曲の各タイプに応じてそれぞれ、４系統のスピーカシステムＳＰＳ「１」〜ＳＰＳ「４」の中から一系統のスピーカシステムを自動選択するように、スピーカ切換え部１３を切換え制御する。こうして、再生する楽曲のタイプに応じた系統の再生スピーカシステムに自動的に切換えて、楽曲を再生することができる。
【００５２】
ユーザが、当該楽曲の再生について再生システムの設定をしていない場合は、音楽のジャンル別の再生システム設定値はユーザが何も設定していなくても少なくとも基本出力系統で音が鳴るように工場出荷時の初期設定値を入れておく。
【００５３】
次に本発明の特徴である、未登録のＣＤを初めて再生する時のメタデータ取得及び再生動作を、図１、図２を参照しながら説明する。
【００５４】
まず、ユーザが外部のディスク再生機２１にＣＤを挿入し、ｎ曲目を再生した時、ディスクドライブ２２から再生された楽曲デジタル信号は、Ｓ／ＰＤＩＦ経由で音楽再生部２に入力され、ＣＤのサブコード抽出部６と音楽データ遅延回路９とに分岐出力される（ステップＳ１）。
【００５５】
次に、サブコード抽出部６は、Ｓ／ＰＤＩＦ経由で楽曲デジタル信号が入力したことを検出すると、音楽再生部２はＣＰＵ４からの命令によりアンプ１０で音声出力をミュートする（ステップＳ２，Ｓ３）。
【００５６】
次に、サブコード抽出部６は、楽曲デジタル信号からＣＤのオーディオトラックのサブコードのＱチャンネルからトラック（曲）番号を抽出し、記憶する（ステップＳ４）。
【００５７】
記憶した曲番号が１曲目の場合（ＹＥＳ）は、音楽再生部２は外部のディスク再生機２１に対して、スキップ操作を行なうための制御信号を出力する。即ち、ＣＰＵ４は、１曲目の再生状態からスキップ動作に移行するための制御信号をリモコン発信部７に出力する。リモコン発信部７はこの制御信号に応じたリモコンコードをリモートコントローラ８を通じて外部のディスク再生機２１のリモコン受信部２４に向けて発信して、外部のディスク再生機２１へ伝送する（ステップＳ７）。
【００５８】
一方、曲番号が１曲目でなかった場合（ＮＯ）には、音楽再生部２は外部のディスク再生機２１に対して１曲目に戻すようにするための制御信号を出力する。即ち、ＣＰＵ４は１曲目の楽曲に戻すようにするための制御信号をリモコン発信部７に出力する。リモコン発信部７はこの制御信号に応じたリモコンコードをリモートコントローラ８を通じて外部のディスク再生機２１のリモコン受信部２４に向けて発信して、外部のディスク再生機２１へ伝送する（ステップＳ５，Ｓ６）。
【００５９】
次に、上記と同様の外部のディスク再生機２１への制御で、「次スキップ」動作させ、次に、サブコード抽出部６において図３に示されるＣＤのオーディオトラックのサブコードのＱチャンネルからスキップ後の再生直後のディスク頭からの時間位置を抽出し、その値を１曲目の楽曲長さ（再生時間）として記憶する。即ち、トラック（曲）番号ＴＮＯが「０１」のときの、ディスク上の走行時間ＡＭＩＮ，ＡＳＥＣで示す時刻「００：００：００」からの経過時間が１曲目の楽曲長さとなる（ステップＳ７，Ｓ８）。
【００６０】
次に、外部のディスク再生機２１をリモコン制御し、スキップ後の再生直後のディスク頭からの時間位置を検出し、その値から１曲目の楽曲長さを引いた値を２曲目の楽曲長さとして記憶する（ステップＳ９，Ｓ１０）。
【００６１】
次に、データベース５に記録されているメタデータ内の「曲順」「曲長さ」と、前記した１曲目の曲長さと２曲目の楽曲長さとが合致することを判定し、そして同じ「曲順」「曲長さ」のＣＤアルバムがデータベース５に既に記録されているかどうかを判断する（ステップＳ１１，Ｓ１２）。
【００６２】
データベース５中のメタデータと、再生した１，２曲目の長さデータとが合致した場合（ＹＥＳ）、さらに合致したメタデータが複数あるかを確認する（ステップＳ２１）。即ち、同じ「曲順」「曲長さ」のＣＤアルバムが複数存在しているかどうかを確認する。
【００６３】
一方、データベース５中のメタデータと、再生した１，２曲目の長さデータとが合致しない場合（ＮＯ）は、当該ＣＤアルバムに関するメタデータがデータベース５には未登録であり、初めて再生されるＣＤであると判断し、当該ＣＤのメタデータをインターネット網１上の外部データベースから新たに取得するために、そこにアクセスする（ステップＳ１３）。
【００６４】
或いはユーザ操作による「ＣＤ登録」を実行した場合でも、リモコン１５からコマンドが発信され、リモコン受信部１４でそれを受信した場合も同様である。この場合、ＣＤ登録動作中はＧＵＩ或いはＦＬ表示、或いは音声案内にて、「ＣＤ解析中です」、「ＣＤ解析が終了しました」など、状態をユーザに知らせると良い。
【００６５】
ステップＳ１３では、ＣＰＵ４からの命令により、内部のデータベース５、或いはインターフェース部３を通じてインターネット網１上のＣＤＤＢなどの外部のデータベースにアクセスし、各データベースに記憶されている楽曲のメタデータと、ステップＳ１４にてステップＳ８、Ｓ１０で得られた１曲目と２曲目の楽曲長さの値とを基に照合する。
【００６６】
ステップＳ１５は、合致したＣＤアルバムのメタデータが存在するかどうかを判断し、合致したＣＤアルバムが存在しない場合（ＮＯ）は、ステップＳ１９で当該ＣＤの特定は不能と判断し、今後の各楽曲の再生時にＣＤのサブコード抽出部６にて楽曲デジタル信号に含まれるＣＤのオーディオトラックのサブコードのチャンネルＱから再生中の楽曲のトラック（曲）番号、トラック頭（ディスク上の走行時間ＡＭＩＮ，ＡＳＥＣで示す時刻「００：００：００」）からの時間位置を抽出・監視し、トラックが切換る瞬間のトラック頭からの時間位置の値から各楽曲の楽曲長さを当該ＣＤの＊曲目、＊（分）：＊＊（秒）というように、ＣＰＵ４の処理により当該ＣＤの管理ＩＤ番号と楽曲のトラック（曲）番号、トラック頭からの時間位置を関連付けてデータベース５に記録し、ステップＳ２５以降の聴取再生に移行する。
【００６７】
この場合、各楽曲に対する楽曲名、アーティスト名、アルバム名、ジャンルなどのメタデータは自動取得できないため、その未取得のメタデータをユーザが手入力で補足登録できるようにしてもよい。
【００６８】
ステップＳ１５で合致するＣＤアルバムが存在する場合（ＹＥＳ）は、更にステップＳ１６で合致するＣＤアルバムが複数存在するか？を判断する。
【００６９】
合致するＣＤアルバムが複数存在する場合は、ステップＳ１７、Ｓ１８で、ステップＳ７、Ｓ８と同様に外部のディスク再生機２１を制御し、スキップ後の再生直後のディスク頭からの時間（絶対時間。図３で示すディスク上の走行時間ＡＭＩＮ，ＡＳＥＣで示す時間）位置を検出し、その値からステップＳ１０の値を引いた値を３曲目の楽曲長さとして記憶して、３曲目の楽曲長さ情報も加えた上でステップＳ１６の合致するＣＤアルバムが複数存在するか？の判断をする。
【００７０】
ステップＳ１６の結果がＮＯになるまで、ステップＳ１７〜Ｓ１８を繰り返し、判断するための曲数を増やして、より精度の高い照合により絞り込み、最終的にＣＤを特定する。
【００７１】
ステップＳ１６にて合致するＣＤアルバムが一つに絞られたら、ステップＳ２０でＣＤの特定が成功したことを確認し、本体内にプリインストールされた内部データベース５、或いはインターフェース部３を通じてインターネット網１上のＣＤＤＢなどの楽曲データベースから照合・取得した当該ＣＤアルバムのアーティスト名、アルバム名、ジャンル、各楽曲に対する楽曲名、各楽曲の長さなどのメタデータを当該ＣＤの管理ＩＤ番号と関連付けてデータベース５に記録し、ステップＳ２５以降の聴取再生に移行する。
【００７２】
未登録のＣＤのメタデータを登録する際、ユーザ設定による使用すべき再生システムの設定がその時点では未登録であるが、その場合は既に別のＣＤで同じジャンルや同じアーティストでの再生システムの登録がなされている場合には再生時はその設定に従って再生し、再生システムが当該ＣＤのジャンルやアーティスト名において未登録の場合はジャンルにおける工場出荷初期値（例えばシステムＡ（図６））に従って再生する。
【００７３】
その後、ユーザ操作により当該ＣＤに対して、ジャンル毎、アーティスト毎、アルバム毎或いは楽曲毎に再生システムを設定・登録した場合は、以降の再生時はその登録されたメタデータに従い再生する。有効とするメタデータの優先順は「楽曲毎」＞「アルバム毎」＞「アーティスト毎」＞「ジャンル毎」のデータの順で、上位の再生システム設定のメタデータが存在しない時は下位のメタデータに従い再生する。少なくとも「ジャンル毎」のメタデータにはユーザが何も設定しなくても工場出荷初期値（例えばシステムＡ）を設定しておく。
【００７４】
ステップＳ１１のデータベース５との照合の結果、ステップＳ１２の判断で合致するＣＤアルバムが存在する場合は既に登録済みのＣＤであることが分かり、更にステップＳ２１で合致するアルバムが複数存在するか？を判断する。
【００７５】
合致するアルバムが複数存在する場合はステップＳ２２、Ｓ２３で、ステップＳ７、Ｓ８と同様に外部のディスク再生機２１を制御し、スキップ後の再生直後のディスク頭からの時間位置を検出し、その値からステップＳ１０の値を引いた値を３曲目の楽曲長さとして記憶して、３曲目の楽曲長さ情報も加えた上でステップＳ２１の合致するアルバムが複数存在するか？の判断をする。
【００７６】
ステップＳ２１の結果がＮＯになるまで、ステップＳ２２〜Ｓ２３を繰り返し、判断するための曲数を増やして、より精度の高い照合により絞り込み、最終的にＣＤを特定する。
【００７７】
ステップＳ２１にて合致するアルバムが一つに絞られたら、ステップＳ２４でＣＤの特定が成功したことを確認し、ステップＳ２５に進み、データベース５に記録されている登録済みの当該ＣＤアルバムのｎ曲目のメタデータを基に鳴らすスピーカシステム３１〜３４などの予め設定された再生システムに切換える。
【００７８】
次にステップＳ２６でリモコン発信部７、リモートコントローラ８を通じて外部のディスク再生機２１がｎ曲目から再生するように制御し再生させ、同時にステップＳ２７でアンプ１０での音声出力のミュートを解除し、楽曲が4系統のスピーカシステムＳＰＳ「１」〜ＳＰＳ「４」のいずれかの系統から放音するようにする。
【００７９】
その後再生聴取中、ステップＳ２８にて外部のディスク再生機２１から接続されたＳ／ＰＤＩＦからの楽曲デジタル信号をサブコード抽出部６で監視し、入力が途切れる時間が例えば６秒以上になった場合、ディスクが入れ換えられている可能性があるため、ステップＳ３２で一連の処理を終了し、その後の再生開始時は再びステップＳ１からやり直すこととする。
【００８０】
再生中も含む、入力が途切れる時間が例えば６秒未満の場合はステップＳ２９にて引き続きサブコードのＱチャンネルからトラック（曲）番号をサブコード抽出部６で抽出・監視し続け、ステップＳ３０にてトラック（曲）番号が変化した場合はデータベース５に記録されている登録済みの当該アルバム（ＣＤ）の当該曲のメタデータを基に鳴らすスピーカシステムなどの予め設定された再生システムに切換え、ステップＳ２８〜Ｓ３１を繰り返す。トラック（曲）番号が変化しない場合はステップＳ２８〜Ｓ３０を繰り返す。
【００８１】
上記音楽再生装置ＡＡにおいて、最初のデータベース５との照合で１曲目と２曲目の長さのデータだけでは該当するＣＤが複数存在してしまい当該ＣＤの特定ができない場合がどのくらいの頻度で発生するのかを学習し、例えば１０回の内５回など頻繁に発生する場合は最初のデータベース５との照合時の対象曲数を最初から増やして、照合作業をするようにしてもよい。
【００８２】
また、別の手段として、外部のディスク再生機２１と本音楽再生部２とを例えばワイヤレスやＨＤＭＩなど楽曲デジタル信号とは別に制御用の信号系路を持つ伝送路で接続している場合には、外部のディスク再生機２１から本願の音楽再生部２へ、例えばワイヤレスやＨＤＭＩ−ＣＥＣなどの制御用の信号系路を利用して外部のディスク再生機２１が図４に示されるＣＤのリードイントラックのサブコードのＱチャンネルに含まれるＴＯＣデータを伝達することにより、そのＴＯＣデータを基にインターネット網１上のＣＤＤＢなどの音楽データベースや或いは本体内にプリインストールされたローカル音楽データベース５にアクセスして当該ＣＤを特定することで、更に簡単にＣＤの特定及びアルバム全体のメタデータの取得・記憶・保存・活用を実現するのも良い。
【図面の簡単な説明】
【００８３】
【図１】本発明の実施の形態にかかる音楽再生装置のブロック構成図
【図２】音楽再生装置の再生動作フローチャート
【図３】オーディオトラックのサブコードのデータＱのデータフォーマットを示す図
【図４】リードイントラックのサブコードのデータＱのデータフォーマットを示す図
【図５】楽曲に関するメタデータの内容を示す図
【図６】再生システムの切換パターンを示す図
【符号の説明】
【００８４】
１  インターネット網（通信ネットワーク）
３  インターフェース部
４  ＣＰＵ
５  データベース（内部のデータベース）
６  サブコード抽出部
１３  スピーカ切換え部
２１  外部のディスク再生機（外部のディスク再生装置）
３１  スピーカシステム＃１
３２  スピーカシステム＃２
３３  スピーカシステム＃３
３４  サブウーハ
ＡＡ  音楽再生装置
Ｓ４，Ｓ５，Ｓ７〜Ｓ１５，Ｓ１８〜Ｓ２０，Ｓ２５  ステップ
【図１】
2010015657.tif 000003
【図２】
2010015657.tif 000004
【図３】
2010015657.tif 000005
【図４】
2010015657.tif 000006
【図５】
2010015657.tif 000007
【図６】
2010015657.tif 000008